(57)【要約】【課題】大容量且つ低内部抵抗である電気二重層コンデンサ及び電池を提供する。【解決手段】本発明の電気二重層コンデンサは、電解液が含浸した一対の分極性電極５，６と、これら分極性電極５，６間に介在されると共に電解液が含浸したセパレータ７と、これら分極性電極５，６が夫々接合する一対の集電体８，１０とを樹脂製の容器１に収納しており、前記一対の分極性電極５，６は、ブロック状又は柱状に形成されており、前記一対の集電体８，１０の少なくとも何れか一方の集電体８，１０は、これに接合する分極性電極５，６の水平面部及び１つ以上の側面部と接合していることを特徴とする。さらに、前記一方の集電体８，１０は、これに接合する分極性電極５，６が嵌まるように形成されている。【選択図】    図２
2005032938.tif 000002
【特許請求の範囲】
【請求項１】
電解液が含浸した一対の分極性電極（５）（６）と、これら分極性電極（５）（６）間に介在されると共に電解液が含浸したセパレータ（７）と、これら分極性電極（５）（６）が夫々接合する一対の集電体（８）（１０）とを樹脂製の容器（１）に収納している電気二重層コンデンサにおいて、
前記一対の分極性電極（５）（６）は、ブロック状又は柱状に形成されており、
前記一対の集電体（８）（１０）の少なくとも何れか一方の集電体（８）（１０）は、これに接合する分極性電極（５）（６）の水平面部及び１つ以上の側面部と接合していることを特徴とする電気二重層コンデンサ。
【請求項２】
前記一方の集電体（８）（１０）は、これに接合する分極性電極（５）（６）が嵌まるように形成されている請求項１に記載の電気二重層コンデンサ。
【請求項３】
前記一対の集電体（８）（１０）と夫々接合する一対のリード部材（９）（１１）を具えており、前記一方の集電体（８）（１０）と接合するリード部材（９）（１１）は、前記一方の集電体（８）（１０）を覆っている請求項１又は請求項２に記載の電気二重層コンデンサ。
【請求項４】
前記一対の集電体（８）（１０）と夫々接合する一対のリード部材（９）（１１）を具えており、前記一方の集電体（８）（１０）は、これに接合するリード部材（９）（１１）上に、又はこれに接合するリード部材（９）（１１）上及び前記容器（１）の内側側面上に、膜状に形成されている請求項１又は請求項２に記載の電気二重層コンデンサ。
【請求項５】
電解液が含浸した一対の分極性電極（５）（６）と、これら分極性電極（５）（６）間に介在されると共に電解液が含浸したセパレータ（７）とを樹脂製の容器（１）に収納し、前記一対の分極性電極（５）（６）が夫々接合する一対のリード部材（９）（１１）を具えた電気二重層コンデンサにおいて、
前記一対の分極性電極（５）（６）は、ブロック状又は柱状に形成されており、
前記一対のリード部材（９）（１１）の少なくとも何れか一方のリード部材（９）（１１）は、これに接合する分極性電極（５）（６）の水平面部及び１つ以上の側面部と接合していることを特徴とする電気二重層コンデンサ。
【請求項６】
前記一方のリード部材（９）（１１）は、これに接合する分極性電極（５）（６）が嵌まるように形成されている請求項５に記載の電気二重層コンデンサ。
【請求項７】
電解液が含浸した正活物質（９１）及び負活物質（９２）と、これら活物質（９１）（９２）間に介在されると共に電解液が含浸したセパレータ（７）と、これら活物質（９１）（９２）が夫々接合する一対の集電体（８）（１０）とを樹脂製の容器（１）に収納した電池において、
前記正活物質（９１）及び前記負活物質（９２）は、ブロック状又は柱状に形成されており、
前記一対の集電体（８）（１０）の少なくとも何れか一方の集電体（８）（１０）は、これに接合する前記正活物質（９１）又は前記負活物質（９２）の水平面部及び１つ以上の側面部と接合していることを特徴とする電池。
【請求項８】
前記一方の集電体（８）（１０）は、これに接合する前記正活物質（９１）又は前記負活物質（９２）が嵌まるように形成されている請求項７に記載の電池。
【請求項９】
前記一対の集電体（８）（１０）と夫々接合する一対のリード部材（９）（１１）を具えており、前記一方の集電体（８）（１０）と接合するリード部材（９）（１１）は、前記一方の集電体（８）（１０）を覆っている請求項７又は請求項８に記載の電池。
【請求項１０】
前記一対の集電体（８）（１０）と夫々接合する一対のリード部材（９）（１１）を具えており、前記一方の集電体（８）（１０）は、これに接合するリード部材（９）（１１）上に、又はこれに接合するリード部材（９）（１１）上及び前記容器（１）の内側側面上に、膜状に形成されている請求項７又は請求項８に記載の電池。
【発明の詳細な説明】
【０００１】
【発明が属する技術分野】
本発明は、水系又は非水系電解質を具える電気二重層コンデンサ及び電池に関する。
【０００２】
【従来の技術】
小型のコイン型電気二重層コンデンサは、携帯電話やデジタルカメラ等の電子機器において、主にバックアップ用電源として広く用いられている。周知のように、コイン型電気二重層コンデンサは、一対の分極性電極間にセパレータを介在させて、互いに絶縁されて対向配備された一対の金属缶の間の内部空間に収納したものである。分極性電極及びセパレータには、水系又は非水系の電解液が含浸される（特許文献１参照）。
【０００３】
回路基板に装着される各種電子部品はチップ化が進んでいるので、回路基板上では、電気二重層コンデンサに対して長方形状の実装領域が設定される場合が多い。しかし、長方形状の実装領域にコイン型電気二重層コンデンサを配置すると、コイン型電気二重層コンデンサが円盤状の形状を有することから、実装領域の各角部周辺に大きな空き部分が生じる。このため、コイン型電気二重層コンデンサが装着される回路基板では、該電気二重層コンデンサを含む各種電子部品を効率的に配置することが困難であった。また、水系又は非水系電解質を用いたボタン型電池についても同様な問題があった。この問題を解決するために、電気二重層コンデンサ及び電池の容器を絶縁性樹脂、絶縁性セラミックス又はガラス等の絶縁性材料で形成して、容器形状を角形にすることが提案されている（特許文献２参照）。
【０００４】
【特許文献１】
特開平８−６４４８４号公報
【特許文献２】
特開２００１−２１６９５２号公報
【０００５】
【発明が解決しようとする課題】
近年、電子機器で使用される小型の電気二重層コンデンサ及び電池は、大容量且つ低内部抵抗であることが一層求められている。従って、絶縁性材料で形成された容器を具える電気二重層コンデンサ及び電池においても、大容量化及び低内部抵抗化を図る必要がある。本発明は、この問題を解決するものであり、大容量且つ低内部抵抗である電気二重層コンデンサ及び電池を提供する。
【０００６】
【課題を解決するための手段】
本発明の電気二重層コンデンサは、電解液が含浸した一対の分極性電極と、これら分極性電極間に介在されると共に電解液が含浸したセパレータと、これら分極性電極が夫々接合する一対の集電体とを樹脂製の容器に収納しており、前記一対の分極性電極は、ブロック状又は柱状に形成されており、前記一対の集電体の少なくとも何れか一方の集電体は、これに接合する分極性電極の水平面部及び１つ以上の側面部と接合していることを特徴とする。
【０００７】
さらに、本発明の電気二重層コンデンサは、分極性電極の水平面部及び１つ以上の側面部と接合する集電体は、この分極性電極が嵌まるように形成されている。
【０００８】
【作用及び効果】
集電体を分極性電極の水平面部及び１つ以上の側面部と接合させることにより、集電体と分極性電極の接触面積が広くなる。これにより、電気二重層コンデンサの容量は増加し、内部抵抗は低くなる。さらに、集電体を分極性電極が嵌まるように形成することにより、分極性電極が集電体に確実に位置決めされて、電気二重層コンデンサの製造が容易になる。集電体と分極性電極が集電体とリード部材を同一の材料で形成可能な場合は、集電体を省略してリード部材を分極性電極の水平面部及び１つ以上の側面部と接合させ、さらには、リード部材を分極性電極が嵌まるように形成してもよい。
【０００９】
上記構成において、一方の分極性電極を正活物質、他方の分極性電極を負活物質とすることにより、本発明を電池にも適用できることは容易に理解される。
【００１０】
【発明の実施の形態】
図１は、本発明のチップ型電気二重層コンデンサの斜視図であり、図２は、図１に示すＡ−Ａ線を含む垂直面で該電気二重層コンデンサを破断し、矢視方向に見た断面図である。図３は、図１に示すＢ−Ｂ線を含む垂直面で該電気二重層コンデンサを破断し、矢視方向に見た断面図である。電気二重層コンデンサは、絶縁性材料で形成された矩形の容器（１）を具えている。容器（１）は垂直方向に薄く形成されており、容器（１）の材料には、液晶ポリマー（ＬＣＰ）、変形ポリアミド若しくはナイロン樹脂等の絶縁性樹脂、ポリプロピレン（ＰＰ）等の熱可塑性プラスチック、アルミナ等のセラミックス、又はガラスが用いられる。
【００１１】
容器（１）は、矩形の窪みが夫々形成された直方体のブロック状の第１容器半体（２）と第２容器半体（３）からなる２つの構成部材が組み合わされて構成されており、これら容器半体（２）（３）は、超音波溶着やレーザ溶着等を行うことにより、又は接着剤を用いて接合されている。これら容器半体（２）（３）の窪みが合わせられることによって、容器（１）の内部空間が形成されている。容器（１）の内部空間には、電解液が含浸した第１分極性電極（５）、第２分極性電極（６）、セパレータ（７）、第１集電体（８）及び第２集電体（１０）が収納されている。さらに、第１リード部材（９）及び第２リード部材（１１）の一部も収納されている。
【００１２】
板状の第１リード部材（９）は、容器（１）の内側下面上に配置されており、該第１リード部材（９）上に、開口した箱状の第１集電体（８）の底部が接合されている。第１集電体（８）は、第１容器半体（２）の窪みに嵌められている。第１集電体（８）には第１分極性電極（５）が嵌められ、導電性接着剤により接合されている。第１分極性電極（５）の上面は、第１集電体（８）の縁部から若干上方に突出しており、第１分極性電極（５）の上には長方形に形成されたシート状のセパレータ（７）が配置されている。
【００１３】
板状の第２リード部材（１１）は、容器（１）の内側上面上に配置されており、該第２リード部材（１１）の下面に、下向きに開口した箱状の第２集電体（１０）の底部が接合されている。第２集電体（１０）は、第２容器半体（３）の窪みに嵌められている。第２集電体（１０）には第２分極性電極（６）が嵌められ、導電性接着剤により接合されている。第２分極性電極（６）の下面へは、第２集電体（１０）の縁部から若干下方に突出しており、第２分極性電極（６）の下には前記セパレータ（７）が配置されている。
【００１４】
第１リード部材（９）は、第１容器半体（２）の壁部を貫通して、容器（１）の内部空間から容器（１）の下側に引き出されている。第１リード部材（９）は２度屈曲され、該第１リード部材（９）の先端部（１３）は、容器（１）の側面から突出すると共に、容器（１）の外側下面と略同一平面上に配置される。
【００１５】
第１容器半体（２）の外側側面に沿って、第２容器半体（３）の一端は下方に延びている。第２リード部材（１１）は、第２容器半体（３）のこの延出部分を通って容器（１）の下側に引き出されている。第２リード部材（１１）は２度屈曲され、該第２リード部材（１１）の先端部（１５）は、第１リード部材（９）の先端部（１３）と反対向きに容器（１）から突出すると共に、容器（１）の外側下面と略同一平面上に配置される。
【００１６】
分極性電極（５）（６）には、活性炭粉末等をブロック状に成形したものが用いられる。これら分極性電極（５）（６）は、垂直方向に薄く形成されており、これらの両水平面部（上面部及び下面部）は、各側面部よりも面積が広い。セパレータ（７）には、ガラス繊維不織布、パルプの抄紙、又はポリ四フッ化エチレン（ＰＴＦＥ）等の絶縁性樹脂で形成されたフィルム等が用いられる。
【００１７】
電気二重層コンデンサが非水系電気二重層コンデンサである場合、電解液には、例えば、トリ−エチル−メチル−アンモニウム−テトラ−フルオロ−ボレイド（Ｅｔ３ＭｅＮＢＦ４）又はテトラ−エチル−アンモニウム−テトラ−フルオロ−ボレイド（Ｅｔ４ＮＢＦ４）等の電解質を、カーボネート、ラクトン又はニトリル等の非プロトン性有機溶媒に溶かしたものが使用される。電気二重層コンデンサが水系電気二重層コンデンサである場合、電解液には、Ｈ２ＳＯ４又はＫＯＨ等の水溶液が使用される。
【００１８】
第１リード部材（９）及び第２リード部材（１１）は導電性金属で形成され、例えば、銅、ニッケル又はアルミニウム等の金属やステンレス等の合金で形成される。電気二重層コンデンサが非水系電気二重層コンデンサである場合、第１集電体（８）及び第２集電体（１０）は、アルミニウム、チタン、又はステンレス等で形成される。従って、この場合、集電体として好適な材料であるアルミニウムやステンレス等を用いることにより、第１集電体（８）と第１リード部材（９）を一体化して同一の部材とし、第２集電体（１０）と第２リード部材（１１）を一体化して同一の部材とすることができる。電気二重層コンデンサが水系電気二重層コンデンサである場合、第１集電体（８）及び第２集電体（１０）は、導電性ブチルゴム等で形成される。
【００１９】
次に、本発明の電気二重層コンデンサの製造方法について説明する。図４は、本実施例の電気二重層コンデンサの分解斜視図である。第１容器半体（２）は、インサートモールド成形によって第１リード部材（９）に形成され、第２容器半体（３）は同様に第２リード部材（１１）に形成される。第１容器半体（２）の窪みの底面上に配置された第１リード部材（９）の一部に導電性接着剤を塗布し、第１集電体（８）を第１容器半体（２）の窪みに嵌める。さらに、第１集電体（８）の内側に導電性接着剤を塗布し、該第１集電体（８）内に第１分極性電極（５）を嵌める。第２容器半体（３）、第２集電体（１０）及び第２分極性電極（６）も同様に処理される。
【００２０】
第１集電体（８）は、第１リード部材（９）上及び第１容器半体（２）の窪みの側面上に（すなわち容器（１）の内側側面上に）、膜状に形成してもよい。インサートモールド成形によって第１容器半体（２）を作製した後、例えば、スパッタリング又は蒸着等により、第１リード部材（９）上と第１容器半体（２）の窪みの側面上に集電体の材料を成膜することにより、膜状の第１集電体（８）を形成してもよい。第２集電体（１０）についても同様である。
【００２１】
第１分極性電極（５）が上方に向くように第１容器半体（２）を配置し、第１分極性電極（５）に電解液を含浸させる。また、第２分極性電極（６）にも電解液を含浸させる。そして、第１分極性電極（５）上に電解液が含浸したセパレータ（７）を載置した後、第１容器半体（２）上に第２容器半体（３）を載置し、第１容器半体（２）と第２容器半体（３）を超音波容着により接合する。なお、接着剤を用いて、第１容器半体（２）と第２容器半体（３）を接合してもよい。
【００２２】
図５（ａ）は、第１集電体（８）及び第１リード部材（９）が組み合わされた状態を示す斜視図である。第１集電体（８）の外側底面は、第１リード部材（９）の水平部分に接合されている。第１分極性電極（５）の下面部は、第１集電体（８）の内側底面に導電性接着剤で接合されており、第１分極性電極（５）の周囲の側面部は、第１集電体（８）の４つの内側側面と夫々導電性接着剤で接合されている。第２分極性電極（６）及び第２集電体（１０）も同様に構成されている。このようにして、第１分極性電極（５）と第１集電体（８）の接合面積を増加させることにより、第１集電体（８）の集電効果が高められて、電気二重層コンデンサの容量の増加が図られている。また、電気二重層コンデンサの内部抵抗の低下も図られている。本実施例の電気二重層コンデンサではさらに、第２分極性電極（６）及び第２集電体（１０）の接合面積も増加させることにより、さらなる容量の増加と内部抵抗の低下が図られている。
【００２３】
図５（ｂ）に、第１集電体（８）及び第１リード部材（９）の第２実施形態を示す。第１集電体（８）は、第１分極性電極（５）の下面部が接合される水平部分（８ａ）と、長手方向に沿った第１分極性電極（５）の両側面部が夫々接合される２つの垂直部分（８ｂ）（８ｃ）とを具えている。第１集電体（８）は、第１分極性電極（５）の他の２つの側面部とは接合されない。第１リード部材（９）には、該第１集電体（８）の垂直部分（８ｂ）（８ｃ）と夫々接合される２つの垂直部分（９ａ）（９ｂ）が形成されており、第１リード部材（９）は、第１集電体（８）を覆うように形成されている。第１集電体（８）は、メッキ処理、スパッタリングや溶融した樹脂を塗布する等の方法により、第１リード部材（９）に膜状に形成してもよい。第２集電体（１０）及び第２リード部材（１１）についても、図５（ｂ）と同様に構成してもよい。
【００２４】
先に述べたように、非水系電気二重層コンデンサでは、第１集電体（８）及び第１リード部材（９）を一体化できる。つまり、第１リード部材（９）を集電体として好適なアルミニウム等の材料で形成して、第１分極性電極（５）を第１リード部材（１０）に直接接合すればよい。この場合、例えば図５（ｃ）に示すように、図５（ｂ）に示した第１リード部材（９）をアルミニウム等で形成し、これに第１分極性電極（５）を直接接合すればよい。第１分極性電極（５）の長手方向に沿った両側面部は、夫々垂直部分（９ａ）（９ｂ）の内面部と接合される。第１分極性電極（５）の下面部は、第１リード部材（９）の水平部分と接合される。第１リード部材（９）は、適当な形状の板材を屈曲することにより作製される。第２リード部材（１１）についても、図５（ｃ）と同様に構成してもよい。
【００２５】
図５（ａ）に示す第１実施形態では、第１集電体（８）は、第１分極性電極（５）の４つの側面部と接合しており、図５（ｂ）に示す第２実施形態では、第１集電体（８）は、第１分極性電極（５）の２つの側面部と接合している。また、図５（ｃ）に示す第３実施形態では、第１リード部材（９）は、第１分極性電極（５）の２つの側面部と接合している。しかしながら、第１集電体（８）又は第１リード部材（９）が、第１分極性電極（５）の水平面部（下面部）に加えて、第１分極性電極（５）の少なくとも一つの側面部と接合していれば、第１集電体（８）又は第１リード部材（９）の集電効果が高められて、電気二重層コンデンサの容量が増加する本発明の効果を得ることは可能である。例えば、図５（ｂ）に示す第２実施形態において、第１集電体（８）の垂直部分（８ｂ）と、第１リード部材（９）の垂直部分（９ａ）とを削除しても、また、図５（ｃ）に示す第３実施形態において、第１リード部材（９）の垂直部分（９ａ）を削除しても本発明の効果は得られる。但し、これらの場合、図５（ｂ）又は（ｃ）に示す実施形態と比較して、第１集電体（８）又は第１リード部材（９）の集電効果は夫々低下する。第２集電体（１０）及び第２リード部材（１１）についても同様である。
【００２６】
図６は、本発明の第２実施例のチップ型電気二重層コンデンサの斜視図である。図７は、図６に示すＣ−Ｃ線を含む垂直面で該電気二重層コンデンサを破断し、矢視方向に見た断面図である。図８は、図６に示すＤ−Ｄ線を含む垂直面で該電気二重層コンデンサを破断し、矢視方向に見た断面図である。垂直方向に薄い矩形の容器（１）は、開口が形成された箱状の第１部材（２１）と、該開口を塞ぐ板状の第２部材（２２）とから構成されている。
【００２７】
垂直方向に薄い直方体のブロック状の第１分極性電極（５）及び第２分極性電極（６）は、容器（１）の内部空間内で横に並べられており、これらの間にシート状のセパレータ（７）が垂直に配置されている。第１集電体（８）は、第１分極性電極（５）の下面部と、セパレータ（７）側を除く３つの側面部とをほぼ覆うように、これら側面部と接合されている。板状の第１リード部材（９）は、セパレータ（７）と平行な容器（１）の内側側面に沿って配置されており、容器（１）の下側壁部を貫通して、容器（１）の内部空間から容器（１）の下側に引き出されている。第１リード部材（９）は１度屈曲され、その先端部（１３）は、容器（１）の側面から突出すると共に、容器（１）の下面と略同一平面上に配置されている。
【００２８】
第２集電体（１０）は、第２分極性電極（５）の下面部と、セパレータ（７）側を除く３つの側面部とをほぼ覆うように、これら側面部と接合されている。板状の第２リード部材（１１）は、容器（１）の内部空間において第１リード部材（９）と反対側に配置されている。該第２リード部材（１１）は、容器（１）の内側側面に沿って配置されており、容器（１）の下壁部を貫通して、容器（１）の下側に引き出されている。第２リード部材（９）は１度屈曲され、その先端部（１５）は、容器（１）の側面から第１リード部材（９）の先端部（１３）と反対向きに突出すると共に、容器（１）の下面と略同一平面上に配置される。
【００２９】
図９（ａ）は、第２実施例の電気二重層コンデンサにおける第１集電体（８）及び第１リード部材（９）の斜視図である。第１集電体（８）は、第１分極性電極（５）の下面部が接合される水平部分（８ｄ）と、該水平部分（８ｄ）の縁部から垂直に延びると共に、第１分極性電極（５）の３つの側面部が夫々接合される垂直部分（８ｅ−ｇ）とを有している。第１集電体（８）の垂直部分（８ｆ）の外側側面は、第１リード部材（９）の垂直部分に接合される。第２集電体（１０）及び第２リード部材（１１）も同様に構成されている。
【００３０】
図９（ｂ）に、第１集電体（８）及び第１リード部材（９）の第２実施形態を示す。第１集電体（８）の形状は、図９（ａ）に示したものと同じであるが、第１リード部材（９）は２度屈曲されて、容器（１）の内側下面に沿って配置される水平部分（９ｄ）が形成されている。第１集電体（８）の外側底面は該水平部分（９ｄ）と接合される。第２集電体（１０）及び第２リード部材（１１）についても同様に構成されてもよい。
【００３１】
非水系電気二重層コンデンサでは、第１集電体（８）及び第１リード部材（９）を一体化できる。この場合、第１リード部材（９）をアルミニウム等で形成し、例えば図９（ｃ）に示すように、図９（ｂ）に示した形状に、第１分極性電極（５）の（セパレータ（７）側を除く）３つの側面部と夫々接合される垂直部分（９ｅ−ｇ）を設けてもよい。第１リード部材（９）は、適当な形状の板材を屈曲することにより作製される。第１リード部材（９）の水平部分（９ｄ）は、第１分極性電極（５）の下面と接合される。第２リード部材（１１）も同様に構成されてもよい。
【００３２】
図９（ａ）乃至（ｃ）に示す実施形態では、第１集電体（８）又は第１リード部材（９）は、第１分極性電極（５）の３つの側面部と接合している。しかしながら、先述のように、第１集電体（８）又は第１リード部材（９）が、第１分極性電極（５）の下面部に加えて、第１分極性電極（５）の少なくとも一つの側面部と接合していれば、本発明の効果を得ることは可能である。例えば、図９（ｂ）に示す第２実施形態において、第１集電体（８）の垂直部分（８ｅ−ｇ）の１つ又は２つを削除しても、また、図９（ｃ）に示す第３実施形態において、第１リード部材（９）の垂直部分（９ｅ−ｇ）の１つ又は２つを削除しても、本発明の効果は得られる。但し、これらの場合、図９（ｂ）又は（ｃ）に示す実施形態と比較して、第１集電体（８）又は第１リード部材（９）の集電効果は夫々低下する。第２集電体（１０）及び第２リード部材（１１）についても同様である。
【００３３】
本発明において、分極性電極（５）（６）の形状は、直方体のブロック状に限定されることはない。図１０（ａ）及び（ｂ）は、本発明の第３実施例の電気二重層コンデンサの断面図である。本実施例の電気二重層コンデンサは第２実施例と同じ外形を具えており、図１０（ａ）は、図６におけるＥ−Ｅ線を含む水平面で第３実施例の電気二重層コンデンサを破断し、矢視方向に見た断面図であり、図１０（ｂ）は、図６におけるＦ−Ｆ線を含む垂直面で該電気二重層コンデンサを破断し、矢視方向に見た断面図である。
【００３４】
第１分極性電極（５）及び第２分極性電極（６）は、垂直方向に薄い直角三角柱状に形成されており、これら分極性電極（５）（６）は、直角三角柱の斜面部を対向させて左右に並べて配置されており、セパレータ（７）は、これら斜面部の間に介在されている。第１集電体（８）は、第１分極性電極（５）の下面部と、該下面部に対して直角に交わる両側面部とをほぼ覆っており、これら側面部と接合されている。第１リード部材（９）は、図９（ａ）と同様に形成されており、第１集電体（８）の外側側面と接合されている。第２集電体（１０）及び第２リード部材（１１）も同様に構成されている。なお、第１集電体（８）を、第１分極性電極（５）の下面部と、第１分極性電極（５）の第１リード部材（９）側の側面部と接合するように形成してもよく、第２集電体（１０）を、第２分極性電極（６）の下面部と、第２分極性電極（６）の第２リード部材（１１）側の側面部と接合するように形成してもよい。
【００３５】
以上に説明した本発明の実施例では、電気二重層コンデンサの容器（１）の形状は矩形であった。しかしながら、本発明において、容器（１）の形状は特に限定されることはない。例えば、容器（１）の形状は円柱状であってよく、また、それに併せて、分極性電極の形状も半円盤のブロック状に、又は半円柱状に形成されてよい。
【００３６】
本発明は、水系又は非水系電解質電池にも適用できる。この場合、説明に用いた図において、例えば、第１分極性電極（５）は正活物質（９１）に、第２分極性電極（６）は負活物質（９２）に置き換わる。リチウムイオン電池に本発明を適用する場合、正活物質（９１）には、コバルト酸リチウム、マンガン酸リチウム又はニッケル酸リチウムの粉末を加圧成形又は焼結したものが使用され、負活物質（９２）には、グラファイト系炭素材料又はコークス系炭素材料の粉末を加圧成形又は焼結したものが使用される。電解液には、ＬｉＢＦ４又はＬｉＣｌＯ４等のリチウム塩を溶解させた有機溶媒が使用される。有機溶媒には、プロピレンカーボネート又はガンマブチロラクトン等が使用される。セパレータ（７）には、ポリオフィレン、ポリエチレン又はポリプロピレン等の高分子多孔性フィルムが使用される。第１集電体（８）は、アルミニウム等で形成され、第２集電体（１０）は銅等で形成される。ゆえに、第１集電体（８）を第１リード部材（９）と、第２集電体（１０）を第２リード部材（１１）と一体化してもよい。
【００３７】
ニッケル水素電池に本発明を適用する場合、正活物質（９１）には、ニッケル酸化物の粉末又はペレットを焼結又は圧縮成形したものが使用され、負活物質（９２）には、Ｍｍ−Ｎｉ−Ｃｏ−Ｍｎ−−Ａｌ（Ｍｍは希土類元素の混合物）系の水素吸蔵合金の粉末又はペレットを焼結又は圧縮成形したものが使用される。電解液には、ＫＯＨ又は高分子ヒドロゲル電解質が使用される。セパレータ（７）には、スルホン化ポリプロピレン等の高分子多孔性フィルムが使用される。第１集電体（８）及び第２集電体（１０）には、発泡ニッケルが使用される。
【００３８】
上記実施例の説明は、本発明を説明するためのものであって、特許請求の範囲に記載の発明を限定し、或は範囲を減縮する様に解すべきではない。本発明の各部構成は上記実施例に限らず、特許請求の範囲に記載の技術的範囲内で種々の変形が可能であることは勿論である。
【図面の簡単な説明】
【図１】本発明に係る電気二重層コンデンサ又は電池の斜視図である。
【図２】図１におけるＡ−Ａ線を含む垂直面で破断した、本発明に係る電気二重層コンデンサ又は電池の断面図である。
【図３】図１におけるＢ−Ｂ線を含む垂直面で破断した、本発明に係る電気二重層コンデンサ又は電池の断面図である。
【図４】本発明に係る電気二重層コンデンサ又は電池の製造工程を示す説明図である。
【図５】本発明に係る電気二重層コンデンサ又は電池の集電体及びリード部材の異なる実施形態を示す斜視図である。
【図６】本発明に係る電気二重層コンデンサ又は電池の第２実施例の斜視図である。
【図７】図６におけるＣ−Ｃ線を含む垂直面で破断した、本発明に係る電気二重層コンデンサ又は電池の第２実施例の断面図である。
【図８】図６におけるＤ−Ｄ線を含む垂直面で破断した、本発明に係る電気二重層コンデンサ又は電池の第２実施例の断面図である。
【図９】本発明に係る電気二重層コンデンサ又は電池の第２実施例における、集電体及びリード部材の異なる実施形態を示す斜視図である。
【図１０】（ａ）図は、図６におけるＥ−Ｅ線を含む水平面で破断した、本発明に係る電気二重層コンデンサ又は電池の第３実施例の断面図である。（ｂ）図は、図６におけるＦ−Ｆ線を含む垂直面で破断した、本発明に係る電気二重層コンデンサ又は電池の第３実施例の断面図である。
【符号の説明】
（１）          容器
（２）          第１容器半体
（３）          第２容器半体
（５）          第１分極性電極
（６）          第２分極性電極
（７）          セパレータ
（８）          第１集電体
（９）          第１リード部材
（１０）        第２集電体
（１１）        第２リード部材
（９１）        正活物質
（９２）        負活物質
【図１】
2005032938.tif 000003
【図２】
2005032938.tif 000004
【図３】
2005032938.tif 000005
【図４】
2005032938.tif 000006
【図５】
2005032938.tif 000007
【図６】
2005032938.tif 000008
【図７】
2005032938.tif 000009
【図８】
2005032938.tif 000010
【図９】
2005032938.tif 000011
【図１０】
2005032938.tif 000012